(57)【要約】【課題】異物侵入に対する保護性と通気口開口面積の確保とを高度なレベルで両立させることができる建設機械用カバーを提供する。【解決手段】建設機械用カバーとしてのボトムカバー20は、建設機械の機体の底部に設けた開口に着脱可能に取り付けるカバー本体21と、このカバー本体21に開口した通気口22と、この通気口22内に間隔をおいて配置した複数のアングルルーバ23とを具備している。各アングルルーバ23は、長尺の板を長尺方向に沿った中央の曲げ部31を介してアングル部材状に折曲することにより、曲げ部31より一面側に一面側傾斜部32を形成するとともに、曲げ部31より他面側に他面側傾斜部33を形成したものである。これらのアングルルーバ23の配置間隔は、ルーバ配列方向に対して直角方向に投影した各アングルルーバ間の投影開口の幅を、隣接するアングルルーバ間の最小間隙より小さく設定する。【選択図】図１
2014034804.tif 000002
【特許請求の範囲】
【請求項１】
建設機械の機体に設けられた開口を塞ぐカバー本体と、
このカバー本体に開口された通気口と、
この通気口内に間隔をおいて配置され、長尺の板を長尺方向に沿った中央の曲げ部を介してアングル部材状に折曲することにより曲げ部より一面側に一面側傾斜部を形成するとともに曲げ部より他面側に他面側傾斜部を形成した複数のアングルルーバとを具備し、
これらのアングルルーバの配置間隔は、ルーバ配列方向に対して直角方向に投影した各アングルルーバ間の投影開口の幅を、隣接するアングルルーバ間の最小間隙より小さく設定した
ことを特徴とする建設機械用カバー。
【請求項２】
下部走行体と、
この下部走行体に対し旋回可能に設けられ開口を有する上部旋回体と、
この上部旋回体に搭載された作業装置と、
上部旋回体の開口に設けられた請求項１記載の建設機械用カバーと
を具備したことを特徴とする建設機械。
【発明の詳細な説明】
【技術分野】
【０００１】
本発明は、ルーバ構造に特徴を有する建設機械用カバーおよびこのカバーを備えた建設機械に関する。
【背景技術】
【０００２】
油圧ショベルなどの建設機械の機体の底部には、建設機械用フレームの点検、軽量化、その他の目的で各種開口が設けられている。これらの底部に設けられた各種開口は、これらの開口から異物が機体内に侵入しないように、これらの開口に着脱自在のボトムカバーによって塞がれ、機体内の配管や配線などが保護されている。
【０００３】
その本来の機体保護機能に反して、開口の部位によっては、エンジンや作動油の冷却排熱を機体外へ逃がすためにボトムカバー自体にも一定の通気口を設ける必要がある。
【０００４】
その場合、一般土木作業のために主に用いる建設機械においては、その限りではないが、建設機械を解体、林業、リサイクルなどの作業に用いる場合は、鉄筋や木材などの剛性が高く細長い形状の異物が、ボトムカバーの通気口から機体内に侵入するおそれがあり、仮に侵入した場合には機体内の油圧配管や電気配線などを傷付けるおそれがあり、機体保護には好ましくない。
【０００５】
また、近年、機体の上面に設けられていた通気口が、騒音規制の関係や、上面開口から機体内に侵入してエンジンルームに堆積した可燃物が火災の原因になる等の理由から、機体の底面に通気口を移すようにしている。このため、以前よりも通気口開口面積の確保と、機体保護の両立が求められるようになっている。
【０００６】
現状は、図５乃至図７に示されるボトムカバー（アンダーカバー）１のように、建設機械の機体保護と通気口開口面積の確保とを両立させる観点から、カバー本体２の通気口３に、複数の平板状斜めルーバ４を等間隔で配置した構造を採用し、これらの平板状斜めルーバ４により、図７に示されるように鉄筋などの異物５の突き刺しをブロックして機体内の配管６などを保護するようにしている（例えば、特許文献１参照）。
【０００７】
このボトムカバー１の平板状斜めルーバ４は、ルーバ配列方向に対して直角方向に投影した場合に開口が無い状態としたものであり、図７に示されるように、下側からの垂直突き上げを想定した鉄筋などの異物５に対する保護構造である。
【先行技術文献】
【特許文献】
【０００８】
【特許文献１】特開２０１０−２４９７６号公報
【発明の概要】
【発明が解決しようとする課題】
【０００９】
しかしながら、この従来のボトムカバー１は、図７に示されるように平板状斜めルーバ４と平行の斜め方向から突き上げられる鉄筋などの異物７に対しては貫通した開口となっているため、油圧ショベルの上部旋回体を旋回させた際に、この異物７を巻き込む形でこの異物７が機体内に侵入し、配管６などに好ましくない。
【００１０】
この異物侵入を防ぐために、各平板状斜めルーバ４間のルーバピッチをより狭くすると、開口を占有する平板状斜めルーバ４の枚数が増加し、所定の通気口開口面積を確保できなくなる。
【００１１】
また、特許文献１に示される換気構造では、通気口開口面積を、箱状部材の底壁に設けられた換気用丸穴または角穴に依存しており、これらの穴を小さくすることで、異物侵入を防ぐことができるものの、所定の通気口開口面積を確保できず、スムーズな換気が困難となる。
【００１２】
要するに、異物侵入に対する保護性と所定の通気口開口面積の確保とを高度なレベルで両立させることができない問題がある。
【００１３】
本発明は、このような点に鑑みなされたもので、異物侵入に対する保護性と通気口開口面積の確保とを高度なレベルで両立させることができる建設機械用カバーおよびこのカバーを備えた建設機械を提供することを目的とする。
【課題を解決するための手段】
【００１４】
請求項１に記載された発明は、建設機械の機体に設けられた開口を塞ぐカバー本体と、このカバー本体に開口された通気口と、この通気口内に間隔をおいて配置され、長尺の板を長尺方向に沿った中央の曲げ部を介してアングル部材状に折曲することにより曲げ部より一面側に一面側傾斜部を形成するとともに曲げ部より他面側に他面側傾斜部を形成した複数のアングルルーバとを具備し、これらのアングルルーバの配置間隔は、ルーバ配列方向に対して直角方向に投影した各アングルルーバ間の投影開口の幅を、隣接するアングルルーバ間の最小間隙より小さく設定した建設機械用カバーである。
【００１５】
請求項２に記載された発明は、下部走行体と、この下部走行体に対し旋回可能に設けられ開口を有する上部旋回体と、この上部旋回体に搭載された作業装置と、上部旋回体の開口に設けられた請求項１記載の建設機械用カバーとを具備した建設機械である。
【発明の効果】
【００１６】
請求項１に記載された発明によれば、カバー本体に開口された通気口内に、長尺の板を長尺方向に沿った中央の曲げ部を介してアングル部材状に折曲することにより曲げ部より一面側に一面側傾斜部を形成するとともに曲げ部より他面側に他面側傾斜部を形成した複数のアングルルーバを間隔をおいて配置し、ルーバ配列方向に対して直角方向に投影した各アングルルーバ間の投影開口の幅を、隣接するアングルルーバ間の最小間隙より小さく設定したので、ルーバ配列方向に対して直角方向から突いてくる鉄筋などの異物を、隣接するアングルルーバによって確実にブロックできるとともに、斜め方向から突いてくる異物をも、アングルルーバの一面側傾斜部または他面側傾斜部により確実にブロックでき、高いレベルで異物侵入に対する保護性を図れる。かつ、アングル部材状に折曲したアングルルーバは、従来の平板状斜めルーバより板厚方向に対する曲げ剛性が向上し、板厚を薄くしても異物からの衝撃に耐え得るので、従来より通気口の全開口面積に対する各アングルルーバの全断面積が占める占有率を抑え、従来のカバーより開口効率を向上させることが可能となり、高いレベルで所定の通気口開口面積を確保できる。要するに異物侵入に対する保護性と通気口開口面積の確保とを高度なレベルで両立させることができる。
【００１７】
請求項２に記載された発明によれば、鉄筋や木材などの異物が、建設機械用カバーの通気口から上部旋回体内に侵入するおそれをアングルルーバによって従来より確実に防止でき、上部旋回体内の配管や配線などが異物より受ける影響を確実に防止できるとともに、従来より開口効率の良い通気口開口面積によって、上部旋回体内の冷却排熱を効率よく外部へ逃がすことができる。
【図面の簡単な説明】
【００１８】
【図１】本発明に係る建設機械用カバーの一実施の形態を示す断面図である。
【図２】同上カバーの斜視図である。
【図３】同上カバーの異物侵入防止作用を示す断面図である。
【図４】同上カバーを装着した建設機械の側面図である。
【図５】従来の建設機械用カバーを示す断面図である。
【図６】同上従来カバーの斜視図である。
【図７】同上従来カバーの異物侵入時の状態を示す断面図である。
【発明を実施するための形態】
【００１９】
以下、本発明を、図１乃至図４に示された一実施の形態に基いて詳細に説明する。
【００２０】
図４は、建設機械としての油圧ショベル11を示し、下部走行体12と、この下部走行体12に対し旋回可能に設けられ底部に開口を有する機体としての上部旋回体13と、この上部旋回体13に搭載された作業装置14とを具備している。この作業装置14は、油圧シリンダにより作動されるブーム15、アーム16およびフォークなどのアタッチメント17によって構成されている。
【００２１】
上部旋回体13には、キャブ18、燃料タンク（図示せず）、作動油タンク（図示せず）、機械室19などが設けられ、機械室19にはエンジン（図示せず）およびこのエンジンにより駆動される油圧ポンプ（図示せず）などが収納されている。
【００２２】
上部旋回体13の底部には、メンテナンス用の開口（図示せず）が複数設けられ、これらの開口にはこれらの開口を塞ぐボトムカバーがそれぞれ着脱可能に設けられている。そのうちの機械室19の下側に位置する建設機械用カバーとしてのボトムカバー20は、下記のとおりである。
【００２３】
図１乃至図３に示されるように、ボトムカバー20は、上部旋回体13の底部に設けられた開口に着脱可能に取り付けられるカバー本体21と、このカバー本体21に開口された通気口22と、この通気口22内に間隔をおいて配置された複数のアングルルーバ23とを具備している。このように、カバー本体21は、上部旋回体13の底部を塞ぐものではあるが、気密に閉塞するものではない。
【００２４】
カバー本体21には、このボトムカバー20を上部旋回体13の底部に取り付けるためのボルトを挿入する複数の孔24および複数の溝25が設けられ、これらの孔24および溝25の周囲にはボルト頭部を障害物から防護するＵ字形の防護部材26が溶接されている。
【００２５】
通気口22は、カバー本体21から切り起して一体形成された枠状部27の内部に形成され、複数の仕切板28により複数に分割形成されている。
【００２６】
各アングルルーバ23は、長尺の板を長尺方向に沿った中央の曲げ部31を介してアングル部材状に折曲することにより、曲げ部31より一面側（上側）に一面側傾斜部32を形成するとともに、曲げ部31より他面側（下側）に他面側傾斜部33を形成したものであり、複数の仕切板28により補強支持されている。
【００２７】
具体的には、各アングルルーバ23は、従来の平板状斜めルーバ４（板厚６mm）に代わり、より薄い長尺の金属板（板厚３．２mm）を長尺方向に沿った中央の曲げ部31で９０°に折り曲げてアングル部材状に形成したものである。
【００２８】
さらに、これらのアングルルーバ23の配置間隔は、ルーバ配列方向に対して直角方向に投影した各アングルルーバ間の投影開口の幅Ａを、隣接するアングルルーバ23，23間の最小間隙Ｂより小さく設定する。この最小間隙Ｂは、隣接する一面側傾斜部32，32間または他面側傾斜部33，33間の平行間隔である。
【００２９】
具体的には、各アングルルーバ23間のピッチは、ルーバ配列方向に対して直角方向に投影した場合の投影開口の幅Ａが、油圧ショベル11の稼働現場での旋回動作によって相対的に突き上げ動作が想定される鉄筋（例えば直径１０mmの異形鉄筋）のような異物34，35のサイズよりも小さくなるように、１０mm未満（例えば８．９mm）に設定する。
【００３０】
次に、図１乃至図３に示された実施の形態の作用効果を説明する。
【００３１】
エンジンなどが設置された機械室19内の高温雰囲気は、ボトムカバー20の通気口22を経て外部に排出される。その際、図１の左側を上部旋回体13の後方へ向けて設置することで、排風は、通気口22内に配列されたアングルルーバ23により整流され、その他面側傾斜部33により上部旋回体13の後方へ向かって排出される。
【００３２】
そして、下部走行体12の走行時や、上部旋回体13の旋回時に、鉄筋や木材などの異物34，35が、相対的に上部旋回体13の底部を突き上げるように当たる場合であっても、９０°に曲げて適切に配置したアングルルーバ23の曲げ部31、一面側傾斜部32および他面側傾斜部33により鉄筋などの異物34，35の侵入を阻止することができる。
【００３３】
すなわち、カバー本体21に開口された通気口22内に、長尺の板を長尺方向に沿った中央の曲げ部31を介してアングル部材状に折曲することにより曲げ部31より一面側に一面側傾斜部32を形成するとともに曲げ部31より他面側に他面側傾斜部33を形成した複数のアングルルーバ23を間隔をおいて配置し、ルーバ配列方向に対して直角方向に投影した各アングルルーバ23間の投影開口の幅Ａを、隣接するアングルルーバ23間の最小間隙Ｂより小さく設定したので、ルーバ配列方向に対して直角方向（垂直方向）から突き上げてくる鉄筋などの異物34を、隣接するアングルルーバ23，23の曲げ部31または他面側傾斜部33によって確実にブロックできるとともに、斜め方向から突き上げてくる異物35をも、アングルルーバ23の一面側傾斜部32または他面側傾斜部33により確実にブロックでき、あらゆる方向から侵入しようとする異物34，35をブロックでき、高いレベルで異物侵入に対する保護性を図れる。
【００３４】
かつ、アングルルーバ23は、従来の平板状斜めルーバ４より板厚方向に対する曲げ剛性が向上するので、アングルルーバ23の板厚を従来の約半分程度にしても異物34，35からの衝撃に耐えることができる。このことにより、従来の平板状斜めルーバ４より多数のアングルルーバ23を配置しても、従来より通気口22の全開口面積に対する各アングルルーバ23の全断面積が占める占有率を抑え、従来のボトムカバー１より開口効率を向上させることが可能となる。
【００３５】
このため、各アングルルーバ23間の配列方向に対して直角方向に投影した投影開口の開口面積は小さいが、実際の風路には投影開口面積以上の広さがあり、実質上の通気口開口面積は従来より向上するので、高いレベルで所定の通気口開口面積を確保できる。
【００３６】
要するに異物侵入に対する保護性と通気口開口面積の確保とを高度なレベルで両立させることができる。
【００３７】
加えて、アングルルーバ23の他面側に位置する他面側傾斜部33の形状は従来の平板状斜めルーバ４と変わらないため、この平板状斜めルーバ４の機能の一つである整流機能は損なわれることがなく、上部旋回体13の後方への排風が可能となる。
【００３８】
以上のように、油圧ショベル11を解体、林業、リサイクルなどの作業に用いる場合において、鉄筋や木材などの異物34，35が、ボトムカバー20の通気口22から上部旋回体13内に侵入するおそれをアングルルーバ23によって従来より確実に防止でき、上部旋回体13内の油圧配管や電気配線などが異物34，35により傷付けられるおそれを確実に防止できるとともに、従来より開口効率の良い通気口開口面積によって、上部旋回体13内のエンジンや作動油などの冷却排熱を効率よく外部へ逃がすことができる。
【００３９】
なお、本発明の建設機械用カバーは、建設機械のボトムカバーだけでなく、建設機械の上面カバーの換気用開口や、側面カバーの換気用開口などにも適用できる。
【産業上の利用可能性】
【００４０】
本発明は、建設機械用カバー、建設機械を製造、販売、リースまたは使用などする事業者にとって利用可能性がある。
【符号の説明】
【００４１】
11    建設機械としての油圧ショベル
12    下部走行体
13    機体としての上部旋回体
14    作業装置
20    建設機械用カバーとしてのボトムカバー
21    カバー本体
22    通気口
23    アングルルーバ
31    曲げ部
32    一面側傾斜部
33    他面側傾斜部
Ａ    投影開口の幅
Ｂ    隣接するアングルルーバ間の最小間隙
【図１】
2014034804.tif 000003
【図２】
2014034804.tif 000004
【図３】
2014034804.tif 000005
【図４】
2014034804.tif 000006
【図５】
2014034804.tif 000007
【図６】
2014034804.tif 000008
【図７】
2014034804.tif 000009